(57)【要約】      （修正有）【課題】与信チェックタスクを金融機関へアウトソーシングするオンライン競売方法を提供する。【解決手段】オンライン競売方法は、資金プールのオンライン競売プラットフォーム（ＯＬＡＰＣＰ）を提供することと、タイプ１メンバーの与信額に応じてＯＬＡＰＣＰの競売取引プール中でタイプ１メンバーのオンライン競売を行うことと、ＯＬＡＰＣＰの競売取引プール中でタイプ２メンバーのオンライン競売を行うことと、を含む。タイプ１メンバーの与信額は、ＯＬＡＰＣＰと提携した金融機関を介し、タイプ１メンバーの与信チェックを行って決定する。タイプ１メンバーのメンバーシップは、ＯＬＡＰＣＰと提携した金融機関を介して付与され、タイプ１メンバーの決済は、金融機関を介して直接に処理される。タイプ２メンバーのメンバーシップは、ＯＬＡＰＣＰを介して付与され、タイプ２メンバーの決済は、ＯＬＡＰＣＰを介して間接的に処理される。【選択図】なし【特許請求の範囲】
【請求項１】
ＯＬＡＰＣＰを提供することと、
前記ＯＬＡＰＣＰと提携した金融機関を介し、タイプ１メンバーの与信チェックを行って決定された前記タイプ１メンバーの与信額に応じ、前記ＯＬＡＰＣＰの競売取引プール中で前記タイプ１メンバーのオンライン競売を行うことと、を含むことを特徴とするオンライン競売方法。
【請求項２】
前記タイプ１メンバーのメンバーシップは、前記金融機関を介して付与されることを特徴とする請求項１に記載のオンライン競売方法。
【請求項３】
前記競売取引プールの入札結果を生成することと、
前記入札結果に応じて前記タイプ１メンバーへの決済を行うことと、
前記決済は、差金決済金であることと、を含むことを特徴とする請求項１に記載のオンライン競売方法。
【請求項４】
前記決済の処理ステップは、
前記金融機関により前記タイプ１メンバーへの第１の決済を処理することと、
前記ＯＬＡＰＣＰにより前記金融機関への第２の決済を処理することと、を含むことを特徴とする請求項３に記載のオンライン競売方法。
【請求項５】
前記第２の決済の処理ステップは、
前記金融機関により前記ＯＬＡＰＣＰへ支払い可能額を送金することと、
前記ＯＬＡＰＣＰにより前記金融機関へ受取り可能額を送金することと、を含むことを特徴とする請求項４に記載のオンライン競売方法。
【請求項６】
前記第２の決済の処理ステップは、
前記支払い可能額を送金することと、
リアルタイムで前記受取り可能額を送金することと、をさらに含むことを特徴とする請求項５に記載のオンライン競売方法。
【請求項７】
前記第２の決済の処理ステップは、前記受取り可能額を送金した後に、前記支払い可能額を送金することをさらに含むことを特徴とする請求項５に記載のオンライン競売方法。
【請求項８】
前記第２の決済の処理ステップは、前記受取り可能額を送金する前に、前記支払い可能額を送金することをさらに含むことを特徴とする請求項５に記載のオンライン競売方法。
【請求項９】
前記ＯＬＡＰＣＰの前記競売取引プール中で前記タイプ１メンバーのオンライン競売を行うステップは、
前記ＯＬＡＰＣＰの前記競売取引プール中でタイプ２メンバーのオンライン競売を行うことをさらに含むことを特徴とする請求項１に記載のオンライン競売方法。
【請求項１０】
前記タイプ１メンバーのメンバーシップは、前記金融機関を介して付与され、
前記タイプ２メンバーのメンバーシップは、前記ＯＬＡＰＣＰを介して付与されることを特徴とする請求項９に記載のオンライン競売方法。
【請求項１１】
プロセッサと、
前記プロセッサに接続され、少なくとも手続きサブプログラムを含むプログラムコードを記憶する記憶装置と、を含み、
前記プロセッサが前記プログラムコードを実行すると、前記プログラムコードがＯＬＡＰＣＰを提供し、前記手続きサブプログラムが前記プロセッサにより実行され、前記ＯＬＡＰＣＰと提携された金融機関を介してタイプ１メンバーの付与チェックを行って決定された前記タイプ１メンバーの付与額に応じ、前記ＯＬＡＰＣＰの競売取引プール中で前記タイプ１メンバーのオンライン競売を行うことを特徴とするＯＬＡＰＣＰシステム。
【請求項１２】
前記タイプ１メンバーのメンバーシップは、前記金融機関を介して付与されることを特徴とする請求項１１に記載のＯＬＡＰＣＰシステム。
【請求項１３】
前記プログラムコードは、
前記競売取引プールの入札結果を生成する入札結果生成サブプログラムと、
前記入札結果を基に、前記タイプ１メンバーへの決済を処理する決済サブプログラムと、をさらに含み、
前記決済は差金決済であることを特徴とする請求項１１に記載のＯＬＡＰＣＰシステム。
【請求項１４】
前記金融機関は、前記タイプ１メンバーの第１の決済を処理し、前記プロセッサにより実行される前記決済サブプログラムは、前記ＯＬＡＰＣＰにより前記金融機関への第２の決済を処理することを特徴とする請求項１３に記載のＯＬＡＰＣＰシステム。
【請求項１５】
前記金融機関は、資金プールのオンラインプラットフォームへ支払い可能額を送金し、前記プロセッサにより実行された決済は、前記資金プールの前記オンラインプラットフォームにより前記金融機関へ受取り可能額を送金することを特徴とする請求項１４に記載のＯＬＡＰＣＰシステム。
【請求項１６】
前記金融機関は、前記資金プールの前記オンラインプラットフォームへ前記支払い可能額を送金し、前記プロセッサにより実行される前記決済サブプログラムが、リアルタイムで前記資金プールの前記オンラインプラットフォームにより前記受取り可能額を前記金融機関へ送金することを特徴とする請求項１５に記載のＯＬＡＰＣＰシステム。
【請求項１７】
前記プロセッサにより実行される前記決済サブプログラムが、リアルタイムで前記資金プールの前記オンラインプラットフォームにより前記金融機関へ前記受取り可能額を送金した後に、前記金融機関が、前記資金プールの前記オンラインプラットフォームへ前記支払い可能額を送金することを特徴とする請求項１５に記載のＯＬＡＰＣＰシステム。
【請求項１８】
前記プロセッサにより実行される前記決済サブプログラムが、リアルタイムで前記資金プールの前記オンラインプラットフォームにより前記金融機関へ前記受取り可能額を送金する前に、前記金融機関が、前記資金プールの前記オンラインプラットフォームへ前記支払い可能額を送金することを特徴とする請求項１５に記載のＯＬＡＰＣＰシステム。
【請求項１９】
前記プロセッサにより実行される前記手続きサブプログラムは、前記ＯＬＡＰＣＰの前記競売取引プール中でタイプ２メンバーのオンライン競売をさらに行うことを特徴とする請求項１１に記載のＯＬＡＰＣＰシステム。
【請求項２０】
前記タイプ１メンバーのメンバーシップは、前記金融機関を介して付与され、
前記タイプ２メンバーのメンバーシップは、前記ＯＬＡＰＣＰシステムを介して付与されることを特徴とする請求項１９に記載のＯＬＡＰＣＰシステム。
【発明の詳細な説明】
【技術分野】
【０００１】
本発明は、資金プールのオンライン競売プラットフォーム（Ｏｎ−Ｌｉｎｅ  Ａｕｃｔｉｏｎ  Ｐｌａｔｆｏｒｍ  ｏｆ  Ｃａｐｉｔａｌ  Ｐｏｏｌ：ＯＬＡＰＣＰ）を用いるオンライン競売方法に関し、特に、ＯＬＡＰＣＰと提携した金融機関によりタイプ１メンバーの与信チェックを行うことにより、ＯＬＡＰＣＰのタイプ１メンバーの与信額を決定するオンライン競売方法に関する。
【背景技術】
【０００２】
コンピュータ技術が向上し、インターネットの人気が高まるに従い、金融サービス業は直接金融の方向に向かっている。例えば、世界初のソーシャル・ファイナンス企業であるＺｏｐａは、ユーザが互いに貸し借りすることが可能なオンライン貸借プラットフォームを構築した。同様に、米国のＰｒｏｓｐｅｒは、コミュニティ貸借のコンセプトによるオンライン競売プラットフォームを構築した。そられ両方の企業は、上述のオンラインプラットフォームにおけるユーザの与信チェックを自ら行っていた。しかし、その場合、与信リスクの負担を負わなければならず、その与信リスクは極めて高かった。また、与信チェックを自ら行った場合、ユーザに対して行う与信チェックの効率が悪い上に、利便性も悪かった。そのため、ユーザに対して行う与信チェックのタスクのリスクを下げるとともにタスクの効率を高め、プラットフォームの回転率をスムーズに向上させる必要があった。
【発明の開示】
【発明が解決しようとする課題】
【０００３】
本発明の目的の一つは、与信チェックタスクを金融機関へアウトソーシングし、上述の問題を解決することにある。
【課題を解決するための手段】
【０００４】
本発明は、オンライン競売方法を開示する。本発明は、ＯＬＡＰＣＰを提供することと、ＯＬＡＰＣＰと提携した金融機関を介し、タイプ１メンバーの与信チェックを行って決定されたタイプ１メンバーの与信額に応じてＯＬＡＰＣＰの競売取引プール中でタイプ１メンバーのオンライン競売を行うことと、を含む。ＯＬＡＰＣＰのメンバーは、タイプ１メンバーおよびタイプ２メンバーに分けられる。タイプ１メンバーのメンバーシップは、ＯＬＡＰＣＰと提携した金融機関を介して付与され、タイプ２メンバーのメンバーシップは、ＯＬＡＰＣＰを介して付与される。
【０００５】
本発明は、ＯＬＡＰＣＰシステムをさらに開示する。このＯＬＡＰＣＰシステムは、プロセッサと、プロセッサに接続され、少なくとも手続きサブプログラムを含むプログラムコードを記憶する記憶装置と、を含む。プロセッサがプログラムコードを実行すると、プログラムコードがＯＬＡＰＣＰを提供する。手続きサブプログラムは、プロセッサにより実行され、ＯＬＡＰＣＰと提携した金融機関を介してタイプ１メンバーに付与チェックを行うことにより決定されたタイプ１メンバーの付与額に応じ、ＣＬＡＰＣＰの競売取引プール中でタイプ１メンバーのオンライン競売を行う。ＯＬＡＰＣＰのメンバーは、タイプ１メンバーおよびタイプ２メンバーに分けられる。タイプ１のメンバーシップは、ＯＬＡＰＣＰと提携した金融機関を介して付与され、タイプ２のメンバーシップは、ＯＬＡＰＣＰを介して付与される。
【０００６】
本発明の上述した目的およびその他の目的は、当業者にとって図面に示された好適な実施形態の詳細な説明を読めば、疑いなく明確になるであろう。
【発明を実施するための最良の形態】
【０００７】
図１を参照する。図１は、本発明の一実施形態による資金プールのオンライン競売プラットフォーム（ＯＬＡＰＣＰ）を形成する方法を示す流れ図である。図１に示すように、まず、金融機関は、ＯＬＡＰＣＰへ入会を申し込む（ステップ１０１）。本発明の金融機関は、与信チェックを行うことが可能な金融機関である。この金融機関には、検証されてＯＬＡＰＣＰへのアクセスが承認された後、ＯＬＡＰＣＰのメンバーシップを申し込みたいユーザに対して認可を付与する権限が与えられる。本実施形態において、金融機関は、与信チェックを行うことが可能な銀行であり、ユーザは、銀行の顧客でもよい。金融機関は、ユーザにメンバーシップを付与し、ＩＤおよびパスワードを有する電子競売カードを付与する。ここで、本実施形態の金融機関は銀行であるが、これは単なる一例であり、本発明をなんら限定するわけではない。つまり他の実施形態では、金融機関は、クレジットカード機関、預金機関またはその他の金融事業者など、与信チェックを行うことができる如何なる金融機関でもよい。
【０００８】
図２を参照する。図２は、本発明の一実施形態によるＯＬＡＰＣＰへの入会を金融機関へ申請する方法を示す流れ図である。図２に示すように、ＯＬＡＰＣＰは、金融機関により作成された入会申請書を受取ると、金融機関の申請書を検証する（ステップ２０１および２０２）。ＯＬＡＰＣＰは、金融機関を承認すると、この金融機関とオンラインで提携契約にサインする（ステップ２０３）。その後、この金融機関には、ＯＬＡＰＣＰメンバーシップを付与する権限が与えられる（ステップ２０４）。
【０００９】
ＯＬＡＰＣＰメンバーは、ＯＬＡＰＣＰのメンバーシップが誰から付与されたかによって、第１のタイプおよび第２のタイプに分けられる。タイプ１メンバーの全競売額には、与信額および累積額が含まれる。この与信額は、ＯＬＡＰＣＰと提携した金融機関を介し、タイプ１メンバーに与信チェックを行って決定される。また累積額は、タイプ１メンバーのＯＬＡＰＣＰ中の預金額に応じて決定され、０に等しくてもよい。一方、タイプ２メンバーの全競売額には累積額のみが含まれ、つまり、全競売額は、タイプ２メンバーの累積額に等しい。同様に、累積額は、タイプ２メンバーのＯＬＡＰＣＰ中の預金に応じて決定され、０に等しくてもよい。
【００１０】
例えば、タイプ１ユーザ（例えば、銀行の顧客）が金融機関（例えば、銀行）を介してＯＬＡＰＣＰのメンバーになることを申し込んだ場合、金融機関は、タイプ１ユーザのデータ内容を検証してタイプ１ユーザの与信チェックを行い、タイプ１ユーザの特性に応じてＯＬＡＰＣＰの与信額を付与する。タイプ１ユーザが承認されると、このタイプ１ユーザはＯＬＡＰＣＰのタイプ１メンバーとなり、電子競売カードを受取る。他の実施例では、第２のユーザ（例えば、預金者またはアービトレィジャー）が直接ＯＬＡＰＣＰに対してＯＬＡＰＣＰのメンバーになることを申請すると、ＯＬＡＰＣＰが、第２のユーザのデータ内容を検証する。第２のユーザが承認されると、第２のユーザはＯＬＡＰＣＰのタイプ２メンバーとなり、電子競売カードを受取ることができる。
【００１１】
メンバーは、受取った電子競売カード中のＩＤおよびパスワードを利用し、ＯＬＡＰＣＰにログインし（ステップ１０２）、ＩＤおよびパスワードの両方が情報セキュリティ検証により認証されると、ＯＬＡＰＣＰ中の様々な競売取引プールのうちの少なくとも一つに参加することができる。
【００１２】
図３を参照する。図３は、本発明の一実施形態によるＯＬＡＰＣＰ中にメンバーがログインする方法を示す流れ図である。図３に示すように、メンバーは、ＩＤおよびパスワードを入力することによりＯＬＡＰＣＰにログインする（ステップ３０１）。ＯＬＡＰＣＰは、入力したＩＤおよびパスワードをチェックする（ステップ３０２）。入力されたＩＤおよびパスワードの両方が認証されると、ＯＬＡＰＣＰにログインすることをメンバーに許可する（ステップ３０３）。或いは、ＩＤおよびパスワードの再入力をメンバーに要求する。第１のタイプに属するメンバーが不正確なＩＤおよびパスワードが予め設定された許容回数よりも多く入力した場合、ＯＬＡＰＣＰは、対応する金融機関に連絡するよう該メンバーに求める。
【００１３】
他方、ＯＬＡＰＣＰ中には複数の様々な早期の競売取引プールがある。各ＯＬＡＰＣＰメンバーは、何れの早期の競売取引プールにもアクセスすることができる。各早期の競売取引プールは、ＯＬＡＰＣＰによる競売取引プールを構築する基準をそれぞれ有する。この基準が満たされた場合、ＯＬＡＰＣＰは、競売取引プールを構築する（ステップ１０３）。本実施形態において、競売取引プールを構築する基準とは、競売取引プールにとって必要な会員数に関することである。
【００１４】
図４を参照する。図４は、本発明の一実施形態による競売取引プールを構築する方法を示す流れ図である。図４に示すように、ＯＬＡＰＣＰは、メンバーが選択するものとして異なる特性（例えば、合計ターム、時間間隔、掛金額など）を有する複数の早期の競売取引プールを提供する（ステップ４０１）。さらに、ＯＬＡＰＣＰは、各早期の競売取引プールの現在のメンバー数をチェックし、競売取引プールに必要なメンバー数に達したか否かを判断する（ステップ４０２）。現在のメンバー数が競売取引プールの構築に必要な人数に達した場合、ＯＬＡＰＣＰにより競売取引プールが構築される（ステップ４０３）。
【００１５】
次に、ＯＬＡＰＣＰは、競売取引プール中のメンバーのために競売取引プール中でオンライン競売を行う（ステップ１０４）。各ＯＬＡＰＣＰメンバーは、如何なる早期の競売取引プールにもアクセスすることが可能であるが、競売取引プール中の全競売額が十分な（例えば、全競売額が全返済額以上である）メンバーだけが予め設定された時間内に入札額を入力することができる。予め設定された時間内にメンバーが入札額を入力した後、ＯＬＡＰＣＰは、入力された入札額および入札額が入力された時間を基に、入力された入札額が有効か否かをチェックする。例えば、入力された入札額が競売取引プールの価格範囲内にあり、入札された時刻が入札の正確な時間である場合、ＯＬＡＰＣＰは、入力された入札額が有効な入札額であると判断する。競売取引プールの締切時間に達すると、ＯＬＡＰＣＰは、競売取引プールが受取った複数の有効な入札額を基に入札結果を生成する。
【００１６】
図５を参照する。図５は、本発明の一実施形態によりＯＬＡＰＣＰが競売取引プールの入札結果を生成する方法を示す流れ図である。図５に示すように、ＯＬＡＰＣＰは、競売取引プールの複数の有効な入札額を基に落札候補者を決定し（ステップ５０１）、この落札候補者がタイプ１メンバーであるかタイプ２メンバーであるかを判断する（ステップ５０２）。落札候補者がタイプ１メンバーである場合、ＯＬＡＰＣＰは、落札候補者に対応した金融機関（例えば、銀行）からの落札候補者の現在の与信額情報を要求する（ステップ５０３）。ＯＬＡＰＣＰは、金融機関から送られてきた落札候補者の現在の与信額を受取った後、その受取った与信額に応じて落札候補者の全競売額を更新し、競売取引プールの全返済額が更新された全競売額を超えたか否かをチェックし、チェック結果を生成する（ステップ５０４）。
【００１７】
落札候補者がタイプ２メンバーの場合、ＯＬＡＰＣＰは、競売取引プールの全返済額が落札候補者の全競売額を超えたか否かを直接チェックし、チェック結果を生成する（ステップ５０４）。次に、そのチェック結果が、全返済額が落札候補者の全競売額を超えていないことを示す場合、ＯＬＡＰＣＰが落札者となる落札候補者を決定し、入札結果を生成する（ステップ５０５）。或いは、入札額が放棄され、ＯＬＡＰＣＰにより入札結果が生成されるまで、残りの有効な入札額に応じて他の落札候補者を決定する。
【００１８】
ここで、タイプ１メンバーが落札者であるか否かを決定する際には、ＯＬＡＰＣＰが現在の与信額情報を要求する。さらに、金融機関は、タイプ１メンバーへ付与額が付与されると、直ちにＯＬＡＰＣＰへタイプ１メンバーの付与額情報を送る。なお、上述したことは単なる例示であり、本発明をなんら限定するものではない。
【００１９】
最後に、ＯＬＡＰＣＰは、入札結果を基に競売取引プールへの決済を処理するが（ステップ１０５）、この決済は差金決済である。図６を参照する。図６は、本発明の一実施形態によるタイプ１メンバーへの決済を処理するＯＬＡＰＣＰの方法を示す流れ図である。図６に示すように、ＯＬＡＰＣＰは、競売取引プール中のタイプ１メンバーが属する金融機関へ競売取引プールの入札結果を送る（ステップ６０１）。各金融機関は、ＯＬＡＰＣＰから送られてきた入札結果を基に、タイプ１メンバーへの第１の決済を処理し、支払い可能額を生成する（ステップ６０２）。各金融機関は、ＯＬＡＰＣＰへ支払い可能額を送金する（ステップ６０３）。ＯＬＡＰＣＰは、入札結果を基に生成された受取り可能額を各金融機関へ送金し、競売取引プールの金融機関への第２の決済を完了させる（ステップ６０４）。競売取引プール中のタイプ２メンバーのために、ＯＬＡＰＣＰは、競売取引プールの入札結果を基にタイプ２メンバーへの決済を直接処理する。簡潔にするため、さらなる説明は省略する。
【００２０】
ここで本実施形態は、ＯＬＡＰＣＰが受取り可能額を金融機関へ送金する前に、この金融機関が資金プールのオンラインプラットフォームへ支払い可能額を送金するが、本発明はこれだけに限定されるわけではない。例えば、ＯＬＡＰＣＰが金融機関へ受取り可能額を送金した後に、金融機関が資金プールのオンラインプラットフォームへ支払い可能額を送金してもよい。他の実施形態において、金融機関は、資金プールのオンラインプラットフォームへ支払い可能額を送金し、ＯＬＡＰＣＰがリアルタイムで金融機関へ受取り可能額を送金してもよい。なお、これら決済方法の代替方法も本発明の範囲中に入る。
【００２１】
以下の実施例は、ＯＬＡＰＣＰ中のタイプ１メンバーＭ１についてである。Ｍ１のメンバーシップは、ＯＬＡＰＣＰと提携した金融機関（例えば、銀行）を介して付与され、この金融機関は、Ｍ１の与信額が付与される。さらに、Ｍ１は、金融機関を介して間接的に決済処理する。ＯＬＡＰＣＰにＭ１がログインした後、Ｍ１は、参加したＯＬＡＰＣＰにより提供された１つ以上の早期の競売取引プールを選択することができる。この実施例において、Ｍ１が早期の競売取引プールＥＳＡＴＰ１を選択し、その掛金額および全タームがそれぞれ１０，０００および２４であると仮定する。Ｍ１により入力された入札額が、ターム１中のＥＳＡＴＰ１中の最高入札額である１，０００である場合、Ｍ１は、ＥＳＡＴＰ１の落札候補者として決定される。そのため、Ｍ１の全返済金は、１０，０００×（２４−１）＝２３０，０００に等しい。Ｍ１の全競売額が、Ｍ１の全返済金よりも少ない場合（例えば、Ｍ１の全競売額が２１０，０００に等しい場合）、Ｍ１は、ＥＳＡＴＰ１の落札者として決定されない。Ｍ１の全競売額が、Ｍ１の全返済金以下の場合（例えば、Ｍ１の全競売額が２５０，０００に等しい場合）、Ｍ１は、ＥＳＡＴＰ１の落札者として決定される。Ｍ１の全競売額には、金融機関により付与された与信額が含まれているため、ＯＬＡＰＣＰは、Ｍ１の全競売額を更新するために、金融機関からＭ１の現在の与信額情報を要求し、全支払い可能額が全競売額を超えたか否かをチェックしなければならない。Ｍ１がＥＳＡＴＰ１の落札者として決定されると、Ｍ１の全返済金（例えば、２３０，０００）は、Ｍ１の全競売額より差し引かれる。さらに、Ｍ１がターム１中で金融機関から２０７，０００（例えば、落札者への資金＝（１０，０００−１，０００）×（２４−１））を受取り、残りのそれぞれのターム（ターム２〜２４）中で金融機関へ１０，０００（掛金額）を払う。
【００２２】
以下は、ＯＬＡＰＣＰ中のタイプ２メンバーＭ２についての実施形態である。Ｍ２のメンバーシップは、ＯＬＡＰＣＰを介して付与され、Ｍ２は、ＯＬＡＰＣＰを介して直接に決済処理する。Ｍ２がＯＬＡＰＣＰにログインした後、Ｍ２は、参加するＯＬＡＰＣＰにより提供された１つ以上の早期の競売取引プールを選択することができる。この実施例では、Ｍ２が早期の競売取引プールＥＳＡＴＰ２を選択し、それらの掛金額および全タームがそれぞれ１０，０００ドルおよび１２と仮定する。Ｍ２により入力された入札額が、ターム１中のＥＳＡＴＰ２中の最高入札額である２，０００ドルである場合、Ｍ２は、ＥＳＡＴＰ２の落札候補者として決定される。そのため、Ｍ２の全返済金は、１０，０００×（１２−１）＝１１０，０００に等しい。Ｍ２の全競売額が、Ｍ２の全返済金よりも少ない場合（例えば、Ｍ２の全競売額が１００，０００ドルに等しい場合）、Ｍ２は、ＥＳＡＴＰ２の落札者として決定されない。Ｍ２の全競売額がＭ２の全返済金以上の場合（例えば、Ｍ２の全競売額が１２０，０００ドルに等しい場合）、Ｍ２は、ＥＳＡＴＰ２の落札者として決定される。Ｍ２の全競売額が累積額のみを含んでいるため、ＯＬＡＰＣＰは、Ｍ２の全競売額を更新するために、金融機関からＭ２の現在の与信額情報を要求する必要がない。Ｍ２がＥＳＡＴＰ２の落札者として決定された場合、Ｍ２の全返済金（例えば、１１０，０００）は、Ｍ２の全競売額より差し引かれる。さらに、Ｍ２がターム１中でＯＬＡＰＣＰから８８，０００ドル（例えば、落札者の資金＝（１０，０００−２，０００×（１２−１））を受取り、残りのそれぞれのターム中（ターム２〜１２）において、ＯＬＡＰＣＰへ１０，０００ドル（掛金額）を払う。
【００２３】
図７を参照する。図７は、本発明の一実施形態によるＯＬＡＰＣＰシステム７００を示す図である。図７に示すように、ＯＬＡＰＣＰシステム７００は、プロセッサ７１０および記憶装置７２０を含む。記憶装置７２０は、手続きサブプログラム７３２、入札結果生成サブプログラム７３４および決済サブプログラム７３６を含むプログラムコード７３０を記憶するためのプロセッサ７１０に接続されている。プロセッサ７１０がプログラムコード７３０を実行すると、プログラムコード７３０は、ＯＬＡＰＣＰを提供する。プロセッサ７１０は、ＯＬＡＰＣＰと提携した金融機関を介し、タイプ１メンバーの与信チェックを行うことによりタイプ１メンバーの与信額に応じ、ＯＬＡＰＣＰの競売取引プール中のタイプ１メンバーのオンライン競売の手続きサブプログラム７３２を実行する。プロセッサ７１０は、競売取引プールの入札結果を生成する入札結果生成サブプログラム７３４を実行する。プロセッサ７１０は、入札結果に基づいてメンバーへの決済を処理する決済サブプログラム７３６を実行する。当業者が上述の説明を読めば、上述したサブプログラムの操作を理解することができるため、ここでは詳細な説明を省略する。
【００２４】
ＯＬＡＰＣＰと提携した金融機関（例えば、銀行）を利用し、これら金融機関にタイプ１メンバーへ付与される与信額に比例した与信リスクを負わせることにより、ＯＬＡＰＣＰは、与信リスクおよびシステム負担を大幅に低減させることができるという利点を得ることができる。さらに、本発明は、決済処理を効率的かつ簡便に行うことができる。
【００２５】
当該技術を熟知するものが理解できるように、この装置および方法は、本発明の範囲内で本発明の主旨を維持しながら様々な変更や修正を行うことができる。従って、以上開示した発明は、添付した特許請求の範囲の記載によってのみ限定される。
【図面の簡単な説明】
【００２６】
【図１】本発明の一実施形態によるＯＬＡＰＣＰを構築する方法を示す流れ図である。
【図２】本発明の一実施形態による、金融機関がＯＬＡＰＣＰへの入会を申請する方法を示す流れ図である。
【図３】本発明の一実施形態によるＯＬＡＰＣＰにメンバーがログインする方法を示す流れ図である。
【図４】本発明の一実施形態による競売取引プールを構築する方法を示す流れ図である。
【図５】本発明の一実施形態によるＯＬＡＰＣＰが競売取引プールの入札結果を生成する方法を示す流れ図である。
【図６】本発明の一実施形態によるＯＬＡＰＣＰがタイプ１メンバーへの決済処理を行う方法を示す流れ図である。
【図７】本発明の一実施形態によるＯＬＡＰＣＰシステムを示す図である。
【符号の説明】
【００２７】
７００：ＯＬＡＰＣＰシステム、７１０：プロセッサ、７２０：記憶装置、７３０：プログラムコード、７３２：手続きサブプログラム、７３４：入札結果生成サブプログラム、７３６：決済サブプログラム、７４０：金融機関
【図１】
2008217771.tif 000002
【図２】
2008217771.tif 000003
【図３】
2008217771.tif 000004
【図４】
2008217771.tif 000005
【図５】
2008217771.tif 000006
【図６】
2008217771.tif 000007
【図７】
2008217771.tif 000008
【外国語明細書】
2008217771.tif 000009
2008217771.tif 000010
2008217771.tif 000011
2008217771.tif 000012
2008217771.tif 000013
2008217771.tif 000014
2008217771.tif 000015
2008217771.tif 000016
2008217771.tif 000017
2008217771.tif 000018
2008217771.tif 000019
2008217771.tif 000020
2008217771.tif 000021
2008217771.tif 000022
2008217771.tif 000023
2008217771.tif 000024
2008217771.tif 000025
2008217771.tif 000026
2008217771.tif 000027
2008217771.tif 000028
2008217771.tif 000029
2008217771.tif 000030
2008217771.tif 000031
2008217771.tif 000032
2008217771.tif 000033
2008217771.tif 000034
2008217771.tif 000035
2008217771.tif 000036
2008217771.tif 000037
2008217771.tif 000038
2008217771.tif 000039
2008217771.tif 000040